(57)【要約】      （修正有）【課題】大きなクリアランス（間隙）を有するエキスパンションジョイントに使用でき、重量のある伸縮目地カバーを支持固着できる目地カバー支持装置を提供する。【解決手段】伸縮アームリンク１５ａを構成するにあたり、対向する二辺のパイプ部材又は無垢部材と他の対向する二辺を構成する二本組のフラットバーを連結するための節点はパイプ部材又は無垢部材を前記二本組のフラットバーにて両側より挟持して回転軸１３ａ、１３ｂ、２０ａ、２０ｂにて枢支する。【選択図】図３
0003209629.tif 000002
【実用新案登録請求の範囲】
【請求項１】
対向する左右の建物の各躯体端部に設置された支持枠に夫々ヒンジ部材を介して回動可能に取付けられて対向位置に配置された固定用アーム、
該固定用アームと固定用アーム間に任意ピッチを有して階高方向に懸架される複数段の目地カバー支持部材を有し、
該複数段からなる目地カバーの支持部材は夫々四節リンク機構を形成する平行四辺形状の伸縮アームリンクからなり、
該平行四辺形状の伸縮アームリンクは夫々を菱形形状に配置すると共にその菱形形状の伸縮アームリンクを任意個数並設して対向する節点を連結し、
該伸縮アームリンクの連結群を前記固定アーム間に連結すると共に前記対向する左右の建物の各躯体端部間に懸架して目地カバーの支持部材を形成し、
該目地カバーの支持部材を形成する平行四辺形形状の伸縮アームリンクは対向する二辺がパイプ部材又は平形や角形の無垢部材にて形成され、
該平行四辺形形状の伸縮アームリンクに隣接して設けられた他の対向する二辺の伸縮アームリンクは夫々二本組のフラットバーにて構成され、
前記対向する二辺のパイプ部材又は無垢部材と他の対向する二辺を構成する二本組のフラットバーを連結するための節点はパイプ部材又は無垢部材を前記二本組のフラットバーにて両側より挟持して回転軸にて枢支することにより連結した目地カバーの支持部材を構成し、
該目地カバーの支持部材を対向する左右の建物間の階高方向に複数段懸架して、
該複数段の目地カバーの支持部材における伸縮アームリンクの回転軸部に枢支された支持用連結部材を介して建物間のクリアランスを被覆する目地カバー機構を支持固定したことを特徴とする壁用エキスパンションジョイントにおける伸縮目地カバーの支持装置。
【請求項２】
前記四節リンク機構を形成する平行四辺形状の伸縮アームリンクから成る目地カバー支持部材は夫々対向する二辺がパイプ部材、又は平形や角形の無垢部材と他の対向する二辺が夫々二本組のフラットバーにて構成され、
該平行四辺形形状の伸縮アームリンクを形成する連結用の節点は前記パイプ部材又は無垢部材を前記二本組のフラットバーにて両側より挟持して回転軸にて枢支する四節リンク機構を形成する伸縮アームリンクを任意個数並設又は複数段集合した形状の伸縮アームリンクにて構成されていることを特徴とする請求項１に記載された壁用エキスパンションジョイントにおける伸縮目地カバーの支持装置。
【請求項３】
前記伸縮アームリンク、又は伸縮アームリンクの集合体にて目地カバー支持部材を形成し、
該目地カバー支持部材に支持用連結部材を介して支持、取付される目地カバー機構は、カバーパネルをＬ字形状に成型し並列した構成でカバーパネルが隣り合うカバーパネルと重なりあうことで伸縮自在に可動可能な目地カバー機構を有することを特徴とする請求項１又は請求項２のいずれかに記載された壁用エキスパンションジョイントにおける伸縮目地カバーの支持装置。
【請求項４】
前記伸縮アームリンク、又は伸縮アームリンクの集合体にて目地カバー支持部材を形成し、
該目地カバー支持部材にカバーパネルを短冊状に形成して回動自在に挟持し、
該夫々の短冊状のカバーパネルの先端部を２枚づつ他のヒンジ機構で連結したジャバラ形状を有し、
該ジャバラ形状部の折り曲げ動作にて伸縮自在に動作可能な目地カバー機構を有することを特徴とする請求項１又は請求項２のいずれかに記載された壁用エキスパンションジョイントにおける伸縮目地カバーの支持装置。
【考案の詳細な説明】
【技術分野】
【０００１】
本考案は、免震建物など左右の建物間に設けられる大きなクリアランス（間隙）を有するエキスパンションジョイントにおける伸縮目地カバーの支持装置に関するものである。
【背景技術】
【０００２】
エキスパンションジョイントは、建物にかかる外力等の変動要因から発生する応力の伝達を分断するために設けられた分割ラインのことであり、隣接して建てられた左右の建物同士が地震の揺れにより激突することを防ぐために設けられたクリアランス（間隙）を建物の揺れ動きに追従可動する伸縮性のある目地カバーで塞ぎ、左右の建物を連結、一体化して使用できるようにするジョイント部材のことである。
【０００３】
従って、エキスパンションジョイントは、その取付け部位により名称が、壁用エキスパンションジョイント、床用エキスパンションジョイント、天井用エキスパンションジョイント、屋根用エキスパンションジョイントと云ったように異なり、その形状や構成も夫々取付け部位により特徴を有している。
【０００４】
本考案は、壁用エキスパンションジョイントに用いられ壁面間のクリアランス（間隙）を塞ぐ伸縮目地カバーの支持装置として有効な装置を提供するもので、本考案を説明する以下の実施例は、壁用エキスパンションジョイントにおける伸縮目地カバーの支持装置として具体的にその考案の目的や構成を詳説するものである。
【０００５】
而して、従来の壁用エキスパンションジョイントにおける伸縮目地カバーの支持装置は、一例として特開２００７−３１５０５４号（以下、特許文献１と称する）が知られている。
【０００６】
前記、特許文献１の発明は、左右の躯体間に異なる前後左右の方向の揺れ動きを吸収することができ、かつ目地部に隙間が生じることなく覆うことができる伸縮自在の目地カバー装置を得るものであり、その主な構成は、目地部側の一方の躯体にヒンジ部材を介して回動可能に取付けられた固定側支持バーと、この固定側支持バーと対向する部位の他方の躯体にヒンジ部材を介して可動可能に取付けられた固定側目地プレートと、この固定側目地プレートの遊端部側の後方寄りの部位に一端部が枢支され、他端部が前記固定側支持バーに枢支された、伸縮しても常時等間隔部位に複数個の枢支部を有する少なくとも２個以上のパンタグラフ形状の伸縮リンクとからなる目地カバーの支持装置を有し、この目地カバーの支持装置の少なくとも２個以上の伸縮リンクの複数個の枢支部に並列するように枢支された複数個の可動支持バーと、この複数の可動支持バーにクランク状の後端部が常時該可動支持バー方向に付勢状態で取付けられ、先端部が前記固定側目地プレートや隣り合う部材にスライド移動可能に重なり支持される複数の目地カバー部材を支持した目地カバーの支持装置を提供しているものである。
【０００７】
そして、特許文献１の第１実施例に使用されている目地カバーの支持装置は、フラットバー形状（図１乃至図７に記載）の伸縮リンク部材を用い、その伸縮リンクを複数個の枢支部に並列するように枢支ピンで枢支され、伸縮しても常時等間隔部位に複数個の枢支部（１４）、（１４）、（１４）・・・を有する少なくとも２個以上のパンタグラフ形状の伸縮リンクをクリアランス間に懸架し、該伸縮リンクの枢支部に並列するように枢支された複数個の可動支持バーを介してクランク状で互いに重なり合うパネル形状の伸縮自在な目地カバー機構を支持して取付けしている構成であることから、前記目地カバーの支持装置は、伸縮自在なパネル形状の目地カバー機構を支持して取付けられ、その目地カバー機構の耐荷重や取付部の耐風圧に対しては強度的に非常に弱く、支持強度を増すためには目地カバーの高さに対してパンタグラフ形状の伸縮リンクのピッチを小さく設定して高さ方向に目地カバーの支持装置を数多く設置しなくてはならないと云う欠点があった。
【０００８】
また、特許文献１の他の実施例に使用されている目地カバーの支持装置は、四角枠状のリンク本体を構成するにあたり、該リンク本体を形成する伸縮リンク部材にフラットバー形状（図８乃至図１０に記載）のリンク部材を用い、四角枠状のリンク本体（２６）と、このリンク本体２６の対向するリンク（２６ａ）、（２６ａ）に所定間隔で両端部を枢支ピン（２７）、（２７）で枢支した枢支（２８）、（２８）、（２８）、（２８）と、前記リンク本体（２６）の対向する枢支部材（２９）、（２９）を結ぶ線状の、前記枢支リンク（２８）、（２８）、（２８）、（２８）に形成された枢支部（１４）、（１４）、（１４）、（１４）を形成した伸縮リンク（１５Ａ）、（１５Ａ）を用いており、このようにして形成された伸縮リンク（１５Ａ）、（１５Ａ）を用いて構成した目地カバー装置（１Ａ）は、前記本考案を実施するための最良の第１の形態と同様な作用効果が得られるとしている。
【０００９】
そして、上記特許文献１の他の実施例における目地カバーの支持装置において、四角枠状のリンク本体を構成する伸縮リンク部材は、フラットバー形状の伸縮リンク部材を用い、四角枠状のリンク本体と、このリンク本体の対向するリンク（２６ａ）、（２６ａ）に所定間隔で両端部を枢支ピン（２７）、（２７）で枢支した枢支（２８）、（２８）、（２８）、（２８）にて構成されていることから、該枢支ピンで枢支した枢支部は、風圧や捻じれにより第１種てこの作用でクギ抜きに似た力が枢支部に加わり強度的に非常に弱く四角枠状のリンク本体にてパネル形状の目地カバー機構を支持して、その目地カバー機構の耐荷重や耐風圧強度を安全側に設定するには、第１の実施例と同様に目地カバーの高さに対して四角枠状のリンク本体のピッチを小さく設定して高さ方向に目地カバーの支持装置を数多く設置しなくてはならなくなる。
【００１０】
然しながら、特許文献１の他の実施例における目地カバーの支持装置は、左右の躯体間のクリアランスに特許文献１の図９の如く設置されており、地震時のクリアランスの収縮時に目地カバーの支持機構を構成する四角枠状のリンク本体が高さ方向に大きく収縮することから、特許文献１の第１実施例の如く四角枠状のリンク本体のピッチを小さく設定して高さ方向に数多く設置することはできず、それらの目地カバー機構を設置して、目地カバーの支持装置の耐荷重や耐風圧強度を満足し得るものではない。
【００１１】
更に、特許文献１の発明において、問題となる目地カバーの支持装置は、近時、免震用エキスパンションジョイントの如く大きなクリアランスを塞ぐ目地カバー機構の支持及び取付用の部材として用いられ、幅広いクリアランス間に懸架され、地震時には、エキスパンションジョイントのＸ方向変位やＹ方向変位、時にはＺ方向変位の動きを受け懸架されたクリアランス内にて捻じれの動作が生じることによる破損のリスクに耐え得ることが必要であるが、特許文献１の発明においては、フラットバー形状のリンク部材を用いて、そのフラットバー形状のリンク部材を枢支ピンにて枢支しパンタグラフ形状の伸縮リンクを構成したり、フラットバー形状のリンク部材を用いて四角枠状のリンクを構成して目地カバーの支持機構を製作しており、前記フラットバー形状のリンク部材を枢支ピンにて枢支している部分に地震時の捻じれの動作が掛かった場合には、該フラットバー形状のリンク部材を枢支ピンにて枢支している部分が捻じれにより破損する可能性の大きい装置である。
【先行技術文献】
【特許文献】
【００１２】
【特許文献１】特開２００７−３１５０５４
【考案の概要】
【考案が解決しようとする課題】
【００１３】
而して、本考案の伸縮目地カバーの支持装置に取付けられる目地カバー機構の構成は、例えば、免震用エキスパンションジョイントの如く大きなクリアランス間を覆うため目地カバー機構はクリアランスの大きさに対応して幅が大きくなるとともに、その目地カバー機構は互いに重なり合うパネル板形状の伸縮機構を有していることにより一般的に非常に幅広で大重量を有するパネル形状物である。また、他の目地カバー機構の構成例としては、パネル板形状物をヒンジ機構で伸縮自在なジャバラ形状に構成した目地カバー機構を設置するもので、このジャバラ形状の目地カバー機構もカバーするクリアランスが大きければ幅広サイズが必要で大重量になる。而して、本考案は、上述した従来装置の構成が有していた問題点を解決しようとするものであり、目地カバー機構の目地カバー支持装置への取付けに際して、目地カバー支持装置の構造は、その取付け支持される目地カバー機構の荷重に耐えることができると共に、取付部において耐風圧強度の高い壁用エキスパンションジョイントにおける伸縮目地カバーの支持装置を提供するものであることから、高層の建物や階高の高い建物の壁面用エキスパンションジョイントの伸縮目地カバーの支持装置として非常に有効な装置を提供するものである。
【００１４】
更に、本考案における伸縮目地カバーの支持装置は、免震用エキスパンションジョイント等のクリアランスの大きい左右の躯体間に設置され、地震時等において相対する建物間の揺れは、地盤に対して水平方向の動きでクリアランスの拡大収縮方向のＸ方向変位や、地盤に対して水平方向の動きでクリアランスに対してスライド方向のＹ方向変位をするほか、地盤の不同沈下等で地盤に対して垂直方向の動きをするＺ方向変位の動きを受けることになり、前記Ｘ方向変位やＹ方向変位、時にはＺ方向変位の動きを受け懸架されたクリアランス内にて捻じれの動作が生じることによる破損のリスクにも耐え得る様な構成を有して、捻じれに強い壁用エキスパンションジョイントにおける伸縮目地カバーの支持装置を提供するものである。
【００１５】
そして、本考案における伸縮目地カバーの支持装置は、免震用エキスパンションジョイント等のクリアランスの大きい左右の躯体間に設置され、地震時等において、大きなクリアランスの可動量にも円滑動作で対応できる伸縮目地カバーの支持装置を提供するものである。
【課題を解決するための手段】
【００１６】
斯くして、本考案は、対向する左右の建物の各躯体端部に設置された支持枠に夫々ヒンジ部材を介して回動可能に取付けられて対向位置に配置された固定用アーム、該固定用アームと固定用アーム間に任意ピッチを有して階高方向に懸架される複数段の目地カバー支持部材を有し、該複数段からなる目地カバーの支持部材は夫々四節リンク機構を形成する平行四辺形状の伸縮アームリンクからなり、該平行四辺形状の伸縮アームリンクは夫々を菱形形状に配置すると共にその菱形形状の伸縮アームリンクを任意個数並設して対向する節点を連結し、該伸縮アームリンクの連結群を前記固定アーム間に連結すると共に前記対向する左右の建物の各躯体端部間に懸架して目地カバーの支持部材を形成し、該目地カバーの支持部材を形成する平行四辺形形状の伸縮アームリンクは対向する二辺がパイプ部材又は平形や角形の無垢部材にて形成され、該平行四辺形形状の伸縮アームリンクに隣接して設けられた他の対向する二辺の伸縮アームリンクは夫々二本組のフラットバーにて構成され、前記対向する二辺のパイプ部材又は無垢部材と他の対向する二辺を構成する二本組のフラットバーを連結するための節点はパイプ部材又は無垢部材を前記二本組のフラットバーにて両側より挟持して回転軸にて枢支することにより連結した目地カバーの支持部材を構成し、該目地カバーの支持部材を対向する左右の建物間の階高方向に複数段懸架して、該複数段の目地カバーの支持部材における伸縮アームリンクの回転軸部に枢支された支持用連結部材を介して建物間のクリアランスを被覆する目地カバー機構を支持固定したことを特徴とする壁用エキスパンションジョイントにおける伸縮目地カバーの支持装置を提供するものである。
【００１７】
また、本考案において、前記四節リンク機構を形成する平行四辺形状の伸縮アームリンクから成る目地カバーの支持部材は夫々対向する二辺がパイプ部材、又は平形や角形の無垢部材と他の対向する二辺が夫々二本組のフラットバーにて構成され、該平行四辺形形状の伸縮アームリンクを形成する連結用の節点は、前記パイプ部材、又は無垢部材を前記二本組のフラットバーにて両側より挟持して回転軸にて枢支する四節リンク機構を任意個数並設又は複数段に集合した形状の伸縮アームリンクにて構成されていることを特徴とする壁用エキスパンションジョイントにおける伸縮目地カバーの支持装置である。
【００１８】
そして、本考案は、前記伸縮アームリンク、又は伸縮アームリンクの集合体にて目地カバーの支持部材を形成し、該目地カバーの支持部材に支持用連結部材を介して支持、取付される目地カバー機構は、カバーパネルをＬ字形状に成型し並列した構成でカバーパネルが隣り合うカバーパネルと重なりあうことで伸縮自在に可動可能な目地カバー機構であることを特徴とする壁用エキスパンションジョイントにおける伸縮目地カバーの支持装置を提供するものである。
【００１９】
更に、本考案は、前記伸縮アームリンク、又は伸縮アームリンクの集合体にて目地カバーの支持部材を形成し、該目地カバーの支持部材に支持用連結部材を介して支持、取付される目地カバー機構は、カバーパネルを短冊状に形成し、該短冊状のカバーパネルをヒンジ機構で連続的に連結したジャバラ形状を有し、該ジャバラ形状部の折り曲げ動作にて伸縮自在に可動可能な目地カバー機構であることを特徴とする壁用エキスパンションジョイントにおける伸縮目地カバーの支持装置を提供するものである。
【考案の効果】
【００２０】
本考案の伸縮目地カバーの支持装置に取付けられる目地カバー機構の構成は、免震用エキスパンションジョイントの如く大きなクリアランス間を覆うため目地カバー機構はクリアランスの大きさに対応して幅が大きくなり、また、その目地カバー機構は互いに重なり合うパネル板形状の伸縮機構やパネル板形状物を丁番機構で伸縮自在なジャバラ形状に構成したものであることから非常に幅広で大重量を有するパネル形状物である。而して本考案は、上述した従来装置の構成が有していた問題点を解決しようとするものであり、目地カバー機構の目地カバー支持装置への取付けに際して、目地カバー支持装置の構造は、平行四辺形状の伸縮アームにおいて、夫々を菱形形状に配置すると共にその菱形形状の伸縮アームを任意個数並設して対向する節点を連結し、該伸縮アームの連結群を前記二本の固定枠間に懸架して目地カバーの支持部材を形成し、該目地カバーの支持部材を形成する平行四辺形形状の伸縮アームリンクは対向する二辺がパイプ部材又は平形や角形の無垢部材にて形成され、該平行四辺形形状の伸縮アームリンクに隣接して設けられた他の対向する二辺の収縮アームリンクは夫々二本組のフラットバーにて構成され、前記対向する二辺のパイプ部材又は無垢部材と他の対向する二辺を構成する二本組のフラットバーを連結するための節点はパイプ部材又は無垢部材を前記二本組のフラットバーにて両側より挟持して回転軸にて枢支することにより連結した平行四辺形形状の伸縮アームリンク機構を構成するものであり、この目地カバー支持装置は、その取付け支持される目地カバー機構のパネル形状物の荷重に耐えることができる堅牢な伸縮目地カバー支持装置を提供できると共に、取付部における堅牢さは当然のことながら耐風圧強度の高い壁用エキスパンションジョイントにおける伸縮目地カバーの支持装置をも提供することができる。
【００２１】
また、本考案における伸縮目地カバーの支持装置は、免震用エキスパンションジョイント等のクリアランスの大きい左右の躯体間に設置され、地震時等において、地盤に対して水平方向の動きでクリアランスの拡大収縮方向のＸ方向変位や、地盤に対して水平方向の動きでクリアランスに対してスライド方向のＹ方向変位をするほか、地盤の不同沈下等で地盤に対して垂直方向の動きをするＺ方向変位の動きを受けることから、前記Ｘ方向変位やＹ方向変位、時にはＺ方向変位の動きを受け懸架されたクリアランス内にて捻じれの動作が生じることによる破損のリスクにも耐え得る捻じれに強い壁用エキスパンションジョイントにおける伸縮目地カバーの支持装置を提供することができる。
【００２２】
そして、本考案における伸縮目地カバーの支持装置は、堅牢な平行四辺形形状の伸縮アームリンクの連結体、または複数段の集合体であることから免震用エキスパンションジョイント等、クリアランスの大きい左右の躯体間に設置され、地震時等において、大きなクリアランスの可動量にも円滑動作で対応できる伸縮目地カバーの支持装置を提供することができる。
【図面の簡単な説明】
【００２３】
【図１】（ａ）本考案の実施形態を説明する平断面図（通常時）。       （ｂ）本考案の実施形態を説明する外観側面図。
【図２】（ａ）伸縮目地カバーを外した状態を示す平断面図。（ｂ）図２（ａ）の側面図で伸縮目地カバーの支持装置の説明図。
【図３】本考案の伸縮目地カバーの支持装置を説明する斜視図。
【図４】（ａ）地震可動時に躯体間のクリアランスが最大になった状態を示す平断面図。       （ｂ）図４（ａ）の外観側面図。
【図５】（ａ）地震可動時に躯体間のクリアランスが最小になった状態を示す平断面図。       （ｂ）図５（ａ）の外観側面図。
【図６】通常時において躯体間が水平Ｙ方向変位動作した状態を示す平断面説明図。
【図７】躯体間のクリアランスが最大になった状態で水平Ｙ方向変位動作した場合を示す平断面説明図。
【図８】躯体間のクリアランスが最小になった状態で水平Ｙ方向変位動作した場合を示す平断面説明図。
【図９】本考案の他の実施形態を説明する平断面図（通常時）。
【考案を実施するための形態】
【００２４】
而して、本考案の伸縮目地カバーの支持装置に取付けられる目地カバー機構の構成は、例えば、免震用エキスパンションジョイントの如く大きなクリアランス間を覆うため目地カバー機構はクリアランスの大きさに対応して幅が大きくなるとともに、その目地カバー機構は互いに重なり合うパネル板形状の伸縮機構を有していることにより一般的に非常に幅広で大重量を有するパネル形状物である。
【００２５】
また、本考案の他の伸縮目地カバー機構の構成例としては、パネル板形状物を丁番機構で伸縮自在なジャバラ形状に構成した目地カバー機構を設置するもので、このジャバラ形状の目地カバー機構も建物のクリアランスをカバーする間隙が大きければ幅広サイズが必要で大重量になる。
【００２６】
従って、本考案は、上述した従来装置の構成が有していた問題点を解決しようとするものであり、建物のクリアランスを覆う目地カバー機構の目地カバー支持装置への取付けに際して、目地カバー支持装置の構造は、その取付け支持される目地カバー機構の荷重に耐えることができると共に、取付部において耐風圧強度の高い壁用エキスパンションジョイントにおける伸縮目地カバーの支持装置を提供するもので、高層の建物や階高の高い建物の壁面用エキスパンションジョイントの伸縮目地カバーの支持装置として非常に有効な装置を提供するものである。
【００２７】
更に、本考案における伸縮目地カバーの支持装置は、免震用エキスパンションジョイント等のクリアランスの大きい左右の躯体間に設置され、地震時等において相対する建物間の動きは、地盤に対して水平方向の動きでクリアランスの拡大収縮方向のＸ方向変位や、地盤に対して水平方向の動きでクリアランスに対してスライド方向のＹ方向変位をするほか、地盤の不同沈下等で地盤に対して垂直方向の動きをするＺ方向変位の動きを受けることになり、前記Ｘ方向変位やＹ方向変位、時にはＺ方向変位の動きを受け懸架されたクリアランス内にて捻じれの動作が生じることによる破損のリスクにも耐え得ることが重要になり、捻じれに強い壁用エキスパンションジョイントにおける伸縮目地カバーの支持装置を提供するものである。
【００２８】
そして、本考案における伸縮目地カバーの支持装置は、例えば、実験装置において最大２４００ｍｍの大きな可動量にも十分に円滑動作で対応できる伸縮目地カバーの支持装置であり、免震用エキスパンションジョイント等のクリアランスの大きい左右の躯体間に設置され、地震時等において、大きなクリアランスの可動量にも対応できる伸縮目地カバーの支持装置を提供するものである。
【００２９】
斯くして、本考案は、対向する左右の建物の各躯体端部に設置された支持枠に夫々ヒンジ部材を介して回動可能に取付けられて対向位置に配置された固定用アーム、該固定用アームと固定用アーム間に任意ピッチを有して階高方向に懸架される複数段の目地カバー支持部材を有し、該複数段からなる目地カバーの支持部材は夫々四節リンク機構を形成する平行四辺形状の伸縮アームリンクからなり、該平行四辺形状の伸縮アームリンクは夫々を菱形形状に配置すると共にその菱形形状の伸縮アームリンクを任意個数並設して対向する節点を連結し、該伸縮アームリンクの連結群を前記固定アーム間に連結すると共に前記対向する左右の建物の各躯体端部間に懸架して目地カバーの支持部材を形成し、該目地カバーの支持部材を形成する平行四辺形形状の伸縮アームリンクは対向する二辺がパイプ部材又は平形や角形の無垢部材にて形成され、該平行四辺形形状の伸縮アームリンクに隣接して設けられた他の対向する二辺の伸縮アームリンクは夫々二本組のフラットバーにて構成され、前記対向する二辺のパイプ部材又は無垢部材と他の対向する二辺を構成する二本組のフラットバーを連結するための節点はパイプ部材又は無垢部材を前記二本組のフラットバーにて両側より挟持して回転軸にて枢支することにより連結した目地カバーの支持部材を構成し、該目地カバーの支持部材を対向する左右の建物間の階高方向に複数段懸架して、該複数段の目地カバーの支持部材における伸縮アームリンクの回転軸部に枢支された支持用連結部材を介して建物間のクリアランスを被覆する目地カバー機構を支持固定したことを特徴とする壁用エキスパンションジョイントにおける伸縮目地カバーの支持装置であることが好ましい。
【００３０】
また、本考案において、前記四節リンク機構を形成する平行四辺形状の伸縮アームリンクから成る目地カバーの支持部材は夫々対向する二辺がパイプ部材、又は平形や角形の無垢部材と他の対向する二辺が夫々二本組のフラットバーにて構成され、該平行四辺形形状の伸縮アームリンクを形成する連結用の節点は、前記パイプ部材、又は無垢部材を前記二本組のフラットバーにて両側より挟持して回転軸にて枢支する四節リンク機構を任意個数並設又は複数段に集合した形状の伸縮アームリンク機構にて構成されている壁用エキスパンションジョイントにおける伸縮目地カバーの支持装置であることが好ましい。
【００３１】
そして、本考案は、前記伸縮アームリンク機構、又は伸縮アームリンク機構の集合体にて目地カバーの支持部材を形成し、該目地カバーの支持部材に支持用連結部材を介して支持、取付される目地カバー機構は、カバーパネルをＬ字形状に成型し並列した構成でカバーパネルが隣り合うカバーパネルと重なりあうことで伸縮自在に可動可能な目地カバー機構である壁用エキスパンションジョイントにおける伸縮目地カバーの支持装置を提供するものである。
【００３２】
更に、本考案は、前記伸縮アームリンク機構、又は伸縮アームリンク機構の集合体にて目地カバーの支持部材を形成し、該目地カバーの支持部材に支持用連結部材を介して支持、取付される目地カバー機構は、カバーパネルを短冊状に形成し、該短冊状のカバーパネルをヒンジ機構で連続的に連結したジャバラ形状を有し、該ジャバラ形状部の折り曲げ動作にて目地カバー機構は伸縮自在に可動可能となる壁用エキスパンションジョイントにおける伸縮目地カバーの支持装置を提供するものである。
【００３３】
斯くして、本考案の伸縮目地カバーの支持装置に取付けられる目地カバー機構の構成は、免震用エキスパンションジョイントの如く大きなクリアランス間を覆うため目地カバー機構はクリアランスの大きさに対応して幅が大きくなり、また、その目地カバー機構は互いに重なり合うパネル板形状の伸縮機構やパネル板形状物を丁番機構で伸縮自在なジャバラ形状に構成したものであることから非常に幅広で大重量を有するパネル形状物である。
【００３４】
そして、本考案は、上述した従来装置の構成が有していた問題点を解決しようとするものであり、目地カバー機構の目地カバー支持装置への取付けに際して、目地カバー支持装置の構造は、平行四辺形状の伸縮アームにおいて、夫々を菱形形状に配置すると共にその菱形形状の伸縮アームを任意個数並設して対向する節点を連結し、該伸縮アームの連結群を前記二本の固定枠間に懸架して目地カバーの支持部材を形成し、該目地カバーの支持部材を形成する平行四辺形形状の伸縮アームリンクは対向する二辺がパイプ部材又は平形や角形の無垢部材にて形成され、該平行四辺形形状の伸縮アームリンクに隣接して設けられた他の対向する二辺の収縮アームリンクは夫々二本組のフラットバーにて構成され、前記対向する二辺のパイプ部材又は無垢部材と他の対向する二辺を構成する二本組のフラットバーを連結するための節点はパイプ部材又は無垢部材を前記二本組のフラットバーにて両側より挟持して回転軸にて枢支することにより連結した平行四辺形形状の伸縮アームリンク機構を構成するものであり、この目地カバー支持装置は、その取付け支持される目地カバー機構のパネル形状物の荷重に耐えることができる堅牢な伸縮目地カバー支持装置を提供できると共に、取付部における堅牢さは当然のことながら耐風圧強度の高い壁用エキスパンションジョイントにおける伸縮目地カバーの支持装置をも提供することができる。
【００３５】
また、本考案における伸縮目地カバーの支持装置は、免震用エキスパンションジョイント等のクリアランスの大きい左右の躯体間に設置され、地震時等において、地盤に対して水平方向の動きでクリアランスの拡大収縮方向のＸ方向変位や、地盤に対して水平方向の動きでクリアランスに対してスライド方向のＹ方向変位をするほか、地盤の不同沈下等で地盤に対して垂直方向の動きをするＺ方向変位の動きを受けることから、前記Ｘ方向変位やＹ方向変位、時にはＺ方向変位の動きを受け懸架されたクリアランス内にて捻じれの動作が生じることによる破損のリスクにも耐え得る捻じれに強い壁用エキスパンションジョイントにおける伸縮目地カバーの支持装置を提供することができる。
【００３６】
更に、本考案における伸縮目地カバーの支持装置は、堅牢な平行四辺形形状の伸縮アームリンクの連結体、または複数段の集合体であることから免震用エキスパンションジョイント等、クリアランスの大きい左右の躯体間に設置され、地震時等において、大きなクリアランスの可動量にも円滑動作で対応できる伸縮目地カバーの支持装置を提供することができる。
【実施例１】
【００３７】
図１乃至図３は本考案の実施の形態を説明する伸縮目地カバーの支持装置の説明図を示すもので、図１（ａ）は本考案の実施形態を説明する平断面図で、伸縮目地カバー支持装置取付け時（通常時）の状態を示し、図１（ｂ）は前記図１（ａ）の外観側面図を示し、図２（ａ）は伸縮目地カバーを外した状態を示す平断面図、図２（ｂ）は図２（ａ）の側面図で伸縮目地カバーの支持装置の説明図であり、図３は本考案の伸縮目地カバーの支持装置を説明するための斜視図を示している。
【００３８】
図４乃至図８は、地震時における伸縮目地カバーの支持装置の動作説明図であり、図４（ａ）は躯体間のクリアランスが最大になった状態を説明する平断面図、図４（ｂ）は図４（ａ）の外観側面図、図５（ａ）は躯体間のクリアランスが最小になった状態を示す平断面図、図４（ｂ）は図５（ａ）の外観側面図であり、次に図６は通常時において躯体間が水平Ｙ方向変位動作した状態を示す平断面説明図、図７は躯体間のクリアランスが最大になった状態で躯体間が水平Ｙ方向変位動作した場合を示す平断面説明図、図８は躯体間のクリアランスが最小になった状態で躯体間が水平Ｙ方向変位動作した場合を示す平断面説明図である。
【００３９】
図１乃至図８において、例えば、建物Ａは免震建物側の躯体、建物Ｂは非免震建物側の躯体を示し、建物Ａの躯体と建物Ｂの躯体の間にはクリアランス（間隙部）Ｃ１が設けられており、該クリアランスＣ１間の対向する躯体端部１ａ、１ｂ間には支持枠２ａ、２ｂに夫々ヒンジ部材３ａ、３ｂを任意ピッチに取付けており、該ヒンジ部材３ａ、３ｂに連結材４ａ、４ｂを介して固定用アーム５ａ、５ｂが前記躯体端部１ａ、１ｂに対して回動可能に取付けされている。そして、前記対向して設けられた固定用アーム５ａ、５ｂ、間には建物の階高方向に任意ピッチを有して複数段の目地カバー支持部材６ａ、６ｂ、６ｃ・・・が設置され、該目地カバー支持部材６ａ、６ｂ、６ｃ・・・にファスナーの役割を担うチャンネル形状の支持用連結部材７ａ、７ｂ、７ｃ・・を縦方向に連結して、該支持用連結部材７ａ、７ｂ、７ｃ・・介し夫々Ｌ字形状に成形したカバーパネル８ａ、８ｂ、８ｃ・・・を並列してボルト・ナット９ａ、９ｂ、９ｃ・・・にてカバーパネル８ａ、８ｂ、８ｃ・・・を取付けると共に、該カバーパネル８ａ、８ｂ、８ｃ・・・が夫々隣り合うカバーパネルと重なり合うように配列して伸縮自在にスライド可動できるように目地カバー機構１０を支持している。
【００４０】
また、前記カバーパネル８ａ、８ｂ、８ｃ・・・が形成する目地カバー機構１０は、支持用連結部材７ａ、７ｂ、７ｃ・・を介して、前記建物の階高方向に任意ピッチを有してももうけられた複数段の目地カバー支持部材６ａ、６ｂ、６ｃ・・・に取付けられて支持されており、目地カバー機構１０はカバーパネル８ａ、８ｂ、８ｃ・・・により建物Ａの躯体と建物Ｂの躯体間のクリアランス（間隙部）Ｃ１を被覆している。尚、図上で示す１１ａ、１１ｂは止水片で、この止水片１１ａ、１１ｂは目地カバー機構１０と前記躯体端部１ａ、１ｂ間の隙間を夫々塞ぐためにガスケット等により形成されている。そして、１２はその中央部を省略図示しているがクリアランスＣ１の内部側の躯体端部１ａ、１ｂ間に設けられた止水シートである。
【００４１】
図２は、前記カバーパネル８ａ、８ｂ、８ｃ・・・により形成されている目地カバー機構１０を取り外し、本考案の主題である目地カバー支持部材６ａ、６ｂ、６ｃ・・・の構成を説明するものである。図２において、目地カバー支持部材６ａ、６ｂを構成するものは、躯体端部１ａ、１ｂ間に配置された支持枠２ａ、２ｂとヒンジ部材３ａ、３ｂ、該ヒンジ部材３ａ、３ｂに固着された連結材４ａ、４ｂ、該連結材４ａ、４ｂを介して連結された固定用アーム５ａ、５ｂ、該固定用アーム５ａ、５ｂ間に懸架された目地カバー支持部材６ａ、または他の位置にあっては目地カバー支持部材６ｂである。そして、前記目地カバー支持部材６ａ、６ｂは目地カバー支持部材６ａ、６ｂの枢支部の回転軸１３ａ、１３ｂ、１３ｃ・・・において支持用連結部材７ａ、７ｂ、７ｃ・・・を縦方向に連結して前記カバーパネル８ａ、８ｂ、８ｃ・・・のファスナーを形成している。尚図２（ｂ）において、１４ａ、１４ｂ、１４ｃ・・・はカバーパネル８ａ、８ｂ、８ｃ・・・の取付け用ビス孔を示している。
【００４２】
而して、図３は、本考案の目地カバー支持部材６を説明する斜視図であり、該目地カバー支持部材６の基本形は、夫々四節リンク機構を形成する平行四辺形状の伸縮アームリンク１５ａ、１５ｂ、１５ｃ、１５ｄ、１５ｅ、１５ｆからなり、該平行四辺形状の伸縮アームリンク１５ａ、１５ｂ、１５ｃ・・・は夫々を菱形形状に配置すると共にその菱形形状の伸縮アームリンクを任意個数並設して対向する節点を回転軸１３ａ、１３ｂ、１３ｃ、１３ｄ、１３ｅ、１３ｆ、１３ｇで互いに連結し、該伸縮アームリンク１５ａ、１５ｂ、１５ｃ・・・が構成する横連結群１７を固定アーム５ａ、５ｂ間に連結すると共に、前記対向する左右の建物の各躯体端部１ａ、１ｂ間に懸架して目地カバーの支持部材６を形成するものであり、該目地カバーの支持部材６を形成する平行四辺形形状の伸縮アームリンク１５ａ、１５ｂ、１５ｃ・・・のアームリンク１８は対向する二辺がパイプ部材又は平形や角形の無垢部材にて形成されている。そして、平行四辺形形状の伸縮アームリンクのアームリンク１８に隣接して設けられた他の対向する二辺のアームリンク１９ａ、１９ｂは夫々二本組のフラットバーにて構成され、前記対向する二辺のパイプ部材又は無垢部材から成るアームリンク１８と他の対向する二辺を構成する二本組のフラットバーのアームリンク１９ａ、１９ｂを連結するための節点は回転軸１３ａ、１３ｂ、回転軸２０ａ、２０ｂにより枢支されている。そして、その枢支の状態は、パイプ部材又は無垢部材からなるアームリンク１８を前記二本組のフラットバーからなるアームリンク１９ａ、１９ｂにて両側より挟持して回転軸１６ａ、１６ｂ、回転軸１３ａ、１３ｂ、回転軸２０ａ、２０ｂにて枢支することにより連結して平行四辺形形状の伸縮アームリンク１５ａ、１５ｂ、１５ｃ・・・からなる目地カバーの支持部材６を構成し、該目地カバーの支持部材６を対向する左右の建物間の階高方向に目地カバーの支持部材６ａ、６ｂ、６ｃ・・・の如く複数段懸架して、該複数段の目地カバーの支持部材６ａ、６ｂ、６ｃ・・・における伸縮アームリンク１５ａ、１５ｂ、１５ｃ・・・の回転軸１３ａ、１３ｂ、１３ｃ・・・、または、回転軸２０ａ、２０ｂ、２０ｃ・・・部に枢支された支持用連結部材７ａ、７ｂ、７ｃ・・・（図２に示す）を介して建物間のクリアランスＣ１を被覆する目地カバー機構１０を支持固定した壁用エキスパンションジョイントにおける伸縮目地カバーの支持装置を提供した。
【００４３】
また、図３に示す実施例においては、伸縮アームリンク１５ａ、１５ｂ、１５ｃ・・・の上部に同様の伸縮アームリンク２１ａ、２１ｂ、２１ｃ・・・を連節し、伸縮アームリンク１５ａ、１５ｂ、１５ｃ・・・、の下部にも伸縮アームリンク２２ａ、２２ｂ、２２ｃ・・・を連節した目地カバーの支持部材６が図示されており、平行四辺形形状の夫々の伸縮アームリンク１５ａ、１５ｂ、１５ｃ・・・、伸縮アームリンク２１ａ、２１ｂ、２１ｃ・・・、伸縮アームリンク２２ａ、２２ｂ、２２ｃ・・・を形成する連結用の節点を前記基本形と同様にパイプ部材又は無垢部材を前記二本組のフラットバーにて両側より挟持して夫々の回転軸にて枢支する四節リンク機構を任意個数並設、又は複数段集合した形状の伸縮アームリンクにて構成されているものである。そして、最近の免震エキスパンションジョイントにおける左右の建物の各躯体端部１ａ、１ｂ間のクリアランスＣ１は、２５００ｍｍ前後になる場合があり、このような場合に対応するには平行四辺形形状の伸縮アームリンクを複数段連繋して節点の回転軸回転軸１３ａ、１３ｂ、１３ｃ・・・、回転軸１６ａ、１６ｂ、１６ｃ・・・を増やし、場合によっては、アームリンク１８ａ、１８ｂ、１９ａ、１９ｂの節点までの長さを夫々短くすることにより、目地カバーの支持部材６へ支持固着される伸縮目地カバー機構１０の荷重負荷に対して大きな強度を有する伸縮目地カバーの支持装置を提供するものである。
【００４４】
斯くして、図４（ａ）（ｂ）は、図１（ａ）（ｂ）に示した伸縮目地カバーの支持装置の設置時の状態から地震発生により地盤の揺れを受け地盤に対して水平方向の動きでクリアランスＣ１がＣ２へとの最大の拡大方向のＸ方向変位を受けた場合を示したもので、図４（ｂ）に示す伸縮アームリンク１５ａ、１５ｂ、１５ｃ・・・、２１ａ、２１ｂ、２１ｃ・・・、２２ａ、２２ｂ、２２ｃ・・・は夫々横長の菱形形状に伸長し、地震後は収縮して略図１（ａ）（ｂ）に示した状態に復帰する。
【００４５】
また、図５（ａ）（ｂ）は、図１（ａ）（ｂ）に示した伸縮目地カバーの支持装置の設置時の状態から地震発生により地盤の揺れを受け地盤に対して水平方向の動きでクリアランスＣ１がＣ３へとの最小の縮小方向のＸ方向変位を受けた場合を示したもので、図５（ｂ）に示す伸縮アームリンク１５ａ、１５ｂ、１５ｃ・・・、２１ａ、２１ｂ、２１ｃ・・・、２２ａ、２２ｂ、２２ｃ・・・は夫々縦の菱形形状に縮小され、この場合の伸縮アームリンク１５ａ、１５ｂ、１５ｃ・・・、２１ａ、２１ｂ、２１ｃ・・・、２２ａ、２２ｂ、２２ｃ・・・が形成する縦の縮小高さは、特許文献１の他の実施例に使用されている目地カバーの支持装置に比較して大幅に縦の縮小高さを小さくすることが可能となり、階高方向に細かなピッチで目地カバーの支持部材６ａ、６ｂ、６ｃ・・・を増やすことができ、大重量の目地カバー機構１０を支持固定できる目地カバーの支持装置を提供できるものである。
尚、図５（ａ）（ｂ）は、地震後は伸長して略、図１（ａ）（ｂ）に示した状態に復帰する。
【００４６】
然しながら、実際の地震時においては、図１の通常時、図４の最大の拡大方向のＸ方向変位、図５の最小の縮小方向のＸ方向変位と同時に夫々の地盤の揺れは、地盤に対して水平方向の動きでクリアランスに対してスライド方向のＹ方向変位をするものであり、場合によっては、地盤の不同沈下等で地盤に対して垂直方向の動きをするＺ方向変位の動きをも受けることになる。
【００４７】
図６は地震時において、クリアランスＣ１に対してスライド方向のＹ方向変位状態を示している。また、図７は、クリアランスＣ２が最大拡大方向のＸ方向変位をしながら地盤に対してスライド方向のＹ方向変位を起こしている状態を示し、図８は、クリアランスＣ３が最小収縮方向のＸ方向変位をしながら地盤に対してスライド方向のＹ方向変位を起こしている状態を示している。
【００４８】
斯くして、上記図６乃至図７のＸ、Ｙ方向変位は、伸縮アームリンク１５ａ、１５ｂ、１５ｃ・・・、伸縮アームリンク２１ａ、２１ｂ、２１ｃ・・・、伸縮アームリンク２２ａ、２２ｂ、２２ｃ・・等の節点となる回転軸１３ａ、１３ｂ、１３ｃ・・・、回転軸２１ａ、２１ｂ、２１ｃ・・・部において捻じれの作用が加わることになるが、本考案は、目地カバーの支持部材６ａ、６ｂ、６ｃ・・・等を形成する平行四辺形形状の伸縮アームリンクのアームリンク１８ａ、１８ｂは対向する二辺がパイプ部材又は平形や角形の無垢部材にて形成されており、該平行四辺形形状の伸縮アームリンクのアームリンク１８に隣接して設けられた他の対向する二辺のアームリンク１９ａ、１９ｂは夫々二本組のフラットバーにて構成され、前記対向する二辺のパイプ部材又は無垢部材から成るアームリンク１８と他の対向する二辺を構成する二本組のフラットバーのアームリンク１９ａ、１９ｂを連結するための節点は、常にパイプ部材又は無垢部材からなるアームリンク１８を前記二本組のフラットバーからなるアームリンク１９ａ、１９ｂにて両側より挟持して回転軸１３ａ、１３ｂ、１３ｃ・・・、回転軸２１ａ、２１ｂ、２１ｃ・・・にて枢支することにより連結して平行四辺形形状の伸縮アームリンク１５ａ、１５ｂ、１５ｃ・・・、伸縮アームリンク２１ａ、２１ｂ、２１ｃ・・・、伸縮アームリンク２２ａ、２２ｂ、２２ｃ・・を構成していることから、捻じれに強い伸縮目地カバーの支持装置を提供することができるものである。
【実施例２】
【００４９】
図９は、本考案の他の実施例を説明するものであり、図９において、建物Ａは免震建物側の躯体、建物Ｂは非免震建物側の躯体を示し、建物Ａの躯体と建物Ｂの躯体の間にはクリアランス（間隙部）Ｃ１が設けられており、該クリアランスＣ１間の対向する躯体端部１ａ、１ｂ間には支持枠２ａ、２ｂに夫々ヒンジ部材３ａ、３ｂを任意ピッチに取付けており、該ヒンジ部材３ａ、３ｂに連結材４ａ、４ｂを介して固定用アーム５ａ、５ｂが前記躯体端部１ａ、１ｂに対して回動可能に取付けされている。そして、前記対向して設けられた固定用アーム５ａ、５ｂ、間には建物の階高方向に任意ピッチを有して複数段の目地カバー支持部材６ａ、６ｂ、６ｃ・・・が設置されている。
【００５０】
而して、目地カバー支持部材６ａの表面には、ファスナーの役割を担うコ型形状の形材からなる支持用連結部材２４ａ、２４ｂ、２４ｃ、２４ｄ・・・が縦方向に並列して連結されており、該支持用連結部材２４ａ、２４ｂ、２４ｃ、２４ｄ・・の先端部は短冊形状に成形したカバーパネル２５ａ、２５ｂ、２５ｃ、２５ｄ・・・の端部が回動可能に挟持されるヒンジ機構２６ａ、２６ｂ、２６ｃ、２６ｄ・・・が形成されており、該夫々のヒンジ機構２６ａ、２６ｂ、２６ｃ、２６ｄ・・・に挟持されたカバーパネル２５ａ、２５ｂ、２５ｃ、２５ｄ・・・は山形に配列されその頂点部において、他のヒンジ機構２７ａ、２７ｂ、２７ｃ、２７ｄ・・・（形材により製作）にて回動可能に連結されている。
【００５１】
従って、実施例２は、伸縮アームリンク、または、伸縮アームリンクの集合体の表面に先端ヒンジ機構を有する目地カバー支持部材を形成し、該目地カバー支持部材にカバーパネルを短冊状に形成して回動自在に挟持し、該夫々の短冊状のカバーパネルの先端部を２枚づつ他のヒンジ機構で連結したジャバラ形状を有し、該ジャバラ形状部の折り曲げ動作にて伸縮自在に動作可能な目地カバー機構設けたもので、本考案の目地カバー支持部材と組んで、特に大きな可動量のあるエキスパンションジョイントに有効となる。
【００５２】
斯くして、本考案の伸縮目地カバーの支持装置に取付けられる目地カバー機構の構成は、免震用エキスパンションジョイントの如く大きなクリアランス間を覆うため目地カバー機構はクリアランスの大きさに対応して幅が大きくなり、また、その目地カバー機構は互いに重なり合うパネル板形状の伸縮機構やパネル板形状物をヒンジ機構で伸縮自在なジャバラ形状に構成したものであることから非常に幅広で大重量を有するパネル形状物である。而して本考案は、上述した従来装置の構成が有していた問題点を解決しようとするものであり、目地カバー機構の目地カバー支持装置への取付けに際して、目地カバー支持装置の構造は、平行四辺形状の伸縮アームにおいて、夫々を菱形形状に配置すると共にその菱形形状の伸縮アームを任意個数並設して対向する節点を連結し、該伸縮アームの連結群を前記二本の固定枠間に懸架して目地カバーの支持部材を形成し、該目地カバーの支持部材を形成する平行四辺形形状の伸縮アームリンクは対向する二辺がパイプ部材又は平形や角形の無垢部材にて形成され、該平行四辺形形状の伸縮アームリンクに隣接して設けられた他の対向する二辺の収縮アームリンクは夫々二本組のフラットバーにて構成され、前記対向する二辺のパイプ部材又は無垢部材と他の対向する二辺を構成する二本組のフラットバーを連結するための節点はパイプ部材又は無垢部材を前記二本組のフラットバーにて両側より挟持して回転軸にて枢支することにより連結した平行四辺形形状の伸縮アームリンク機構を構成するものであり、この目地カバー支持装置は、その取付け支持される目地カバー機構のパネル形状物の荷重に耐えることができる堅牢な伸縮目地カバー支持装置を提供できると共に、取付部における堅牢さは当然のことながら耐風圧強度の高い壁用エキスパンションジョイントにおける伸縮目地カバーの支持装置をも提供することができる。
【００５３】
また、本考案における伸縮目地カバーの支持装置は、免震用エキスパンションジョイント等のクリアランスの大きい左右の躯体間に設置され、地震時等において、地盤に対して水平方向の動きでクリアランスの拡大収縮方向のＸ方向変位や、地盤に対して水平方向の動きでクリアランスに対してスライド方向のＹ方向変位をするほか、地盤の不同沈下等で地盤に対して垂直方向の動きをするＺ方向変位の動きを受けることから、前記Ｘ方向変位やＹ方向変位、時にはＺ方向変位の動きを受け懸架されたクリアランス内にて捻じれの動作が生じることによる破損のリスクにも耐え得る捻じれに強い壁用エキスパンションジョイントにおける伸縮目地カバーの支持装置を提供することができる。
【００５４】
そして、本考案における伸縮目地カバーの支持装置は、堅牢な平行四辺形形状の伸縮アームリンクの連結体、または複数段の集合体であることから免震用エキスパンションジョイント等、クリアランスの大きい左右の躯体間に設置され、地震時等において、大きなクリアランスの可動量にも円滑動作で対応できる伸縮目地カバーの支持装置を提供することができる。
【符号の説明】
【００５５】
１ａ、１ｂ  躯体端部
２ａ、２ｂ  支持枠
３ａ、３ｂ  ヒンジ部材
４ａ、４ｂ  連結材
５ａ、５ｂ  固定用アーム
６、６ａ、６ｂ、６ｃ・・・目地カバー部材
７ａ、７ｂ、７ｃ・・・  支持用連結部材
８ａ、８ｂ、８ｃ・・・  カバーパネル
９ａ、９ｂ、９ｃ・・・  ボルト・ナット
１０  目地カバー機構
１１ａ、１１ｂ  止水片
１２  止水シート
１３ａ、１３ｂ、１３ｃ・・・  回転軸
１４ａ、１４ｂ、１４ｃ・・・  取付け用ビス孔
１５ａ、１５ｂ、１５ｃ・・・  伸縮アームリンク
１７  横連結群
１８  アームリンク
１９ａ、１９ｂ  アームリンク
２０ａ、２０ｂ、２０ｃ・・・  回転軸
２１ａ、２１ｂ、２１ｃ・・・  伸縮アームリンク
２２ａ、２２ｂ、２２ｃ・・・  伸縮アームリンク
２４ａ、２４ｂ、２４ｃ・・・  支持用連結部材
２５ａ、２５ｂ、２５ｃ・・・  カバーパネル
２６ａ、２６ｂ、２６ｃ・・・  ヒンジ機構
２７ａ、２７ｂ、２７ｃ・・・  ヒンジ機構
Ａ  建物  
Ｂ  建物
Ｃ    クリアランス
Ｃ１  クリアランス（通常時）
Ｃ２  クリアランス（最大時）
Ｃ３  クリアランス（最小時）
【図１】
0003209629.tif 000003
【図２】
0003209629.tif 000004
【図３】
0003209629.tif 000005
【図４】
0003209629.tif 000006
【図５】
0003209629.tif 000007
【図６】
0003209629.tif 000008
【図７】
0003209629.tif 000009
【図８】
0003209629.tif 000010
【図９】
0003209629.tif 000011